(57)【要約】【課題】薬品などの包装容器が不正に開封された場合に、開封の痕跡を確実に残す。【解決手段】正面板２、左側面板、右側面板４、背面板、上面板６および下面板から構成された包装容器１において、正面板２の上端縁および下端縁に封緘片９が折り目ｈを介して連設され、また、封緘片９に対応して上面板６および下面板に封緘片９を嵌入可能な略コ字状の切れ目ｊが形成されている。そして、封緘片９が切れ目ｊに差し込まれるとともに、上面板６および下面板の、切れ目ｊで区画された部位に貼着されている。【選択図】図１
2005041530.tif 000002
【特許請求の範囲】
【請求項１】
左右一端縁に左右一方の側面板が折り目を介して連設された正面板の他端縁に、左右他方の側面板、背面板、糊代が順に折り目を介して連設される一方、左右側面板の各上端縁および各下端縁にそれぞれフラップが折り目を介して連設され、また、背面板の上端縁および下端縁に、それぞれ差し込みフラップを有する上面板および下面板が折り目を介して連設された包装容器において、前記正面板の上端縁および下端縁に封緘片が折り目を介して連設され、また、封緘片に対応して上面板および下面板に封緘片を嵌入可能な略コ字状の切れ目が形成され、封緘片が切れ目に差し込まれるとともに、上面板および下面板の、切れ目で区画された部位に貼着されていることを特徴とする薬品などの包装容器。
【請求項２】
前記上面板および下面板に形成された各切れ目の対向する左右各辺が互いに内方に向けて突出されていることを特徴とする請求項１記載の薬品などの包装容器。
【請求項３】
左右一端縁に糊代が折り目を介して連設された正面板の他端縁に、左右一方の側面板、背面板、左右他方の側面板が順に折り目を介して連設される一方、左右側面板の各上端縁および各下端縁にそれぞれフラップが折り目を介して連設され、また、正面板の上端縁および下端縁にそれぞれ貼着フラップが折り目を介して連設され、背面板の上端縁および下端縁にそれぞれ上面板および下面板が折り目を介して連設された包装容器において、前記各貼着フラップに正面板との折り目を始点としてコ字状の切れ目がそれぞれ形成され、また、貼着フラップの切れ目によって区画された各封緘片に対応して上面板および下面板にそれぞれ封緘片を嵌入可能な略コ字状の切れ目が形成され、封緘片が切れ目に差し込まれるとともに、上面板および下面板の、切れ目で区画された部位に貼着されていることを特徴とする薬品などの包装容器。
【請求項４】
前記上面板および下面板に形成された各切れ目の対向する左右各辺が互いに内方に向けて突出されていることを特徴とする請求項３記載の薬品などの包装容器。
【発明の詳細な説明】
【技術分野】
【０００１】
本発明は、薬品などの包装容器に関するものである。
【背景技術】
【０００２】
一般に、薬品の包装容器は、正面板、左右の側面板、背面板、上面板、下面板からなり、包装容器を組み立てた後、包装容器内に薬品が添付文書とともに収容され、薬局などに出荷されるようになっている。
【０００３】
薬局などに出荷された薬品は、店内に保管され、通常、購入者が薬品名を指定することによって対応する薬品を取り出し、販売するようにしている。また、薬品によっては、ケースやトレーなどに展示され、必要とする購入者がトレーやケースなどから薬品を取り出して清算する方式も採用されている。
【０００４】
ところで、購入者が直接接触できないように保管された薬品については、薬品の包装容器が不正に開封される事態は想定できないが、ケースなどに展示されて、多数の消費者が接触する機会のある薬品の場合には、包装容器が不正に開封される可能性がある。このため、上面板と正面板および下面板と正面板にかけてそれぞれ封緘紙を貼付し、封緘紙を破らない限り薬品を取り出せないようにし、封緘紙が破れている場合には、包装容器が不正に開封されたと判断し、不正に開封された薬品を誤って販売しないようにしている（例えば、特許文献１参照）。
【特許文献１】実公昭５７−３９３１０号公報
【発明の開示】
【発明が解決しようとする課題】
【０００５】
ところで、前述したように、封緘紙を包装容器に貼付し、包装が不正に開封されたか否かを把握する方式では、封緘紙を剥離した後、再び封緘紙を貼付した場合、開封の痕跡が残らないことがあり、包装容器が不正に開封されたにも関わらず、未開封の商品として誤って販売されるおそれがある。この場合、本来の数量の薬品が存在しないと、トラブルに発展するおそれがある。
【０００６】
本発明は、このような問題点に鑑みてなされたもので、不正に開封された場合に開封の痕跡を確実に残すことのできる薬品などの包装容器を提供するものである。
【課題を解決するための手段】
【０００７】
本発明は、左右一端縁に左右一方の側面板が折り目を介して連設された正面板の他端縁に、左右他方の側面板、背面板、糊代が順に折り目を介して連設される一方、左右側面板の各上端縁および各下端縁にそれぞれフラップが折り目を介して連設され、また、背面板の上端縁および下端縁に、それぞれ差し込みフラップを有する上面板および下面板が折り目を介して連設された包装容器において、前記正面板の上端縁および下端縁に封緘片が折り目を介して連設され、また、封緘片に対応して上面板および下面板に封緘片を嵌入可能な略コ字状の切れ目が形成され、封緘片が切れ目に差し込まれるとともに、上面板および下面板の、切れ目で区画された部位に貼着されていることを特徴とするものである。
【０００８】
本発明によれば、包装容器を組み立てて薬品などを収容した後、それぞれ差し込みフラップを差し込んで上面板および下面板によって上方開口部および下方開口部を閉鎖する。次いで、上面板および下面板にそれぞれ形成された切れ目で区画された部位に接着剤を塗布するとともに、封緘片の裏面に接着剤を塗布した後、各封緘片を折り曲げ、その先端を切れ目に差し込んで貼着する。
【０００９】
このため、正面板に連設された各封緘片は、それぞれ切れ目に差し込まれた状態で、上面板および正面板に貼着され、正面板と上面板および正面板と下面板が封緘される。この際、封緘片の先端縁は、切れ目を通して上面板および下面板の各裏面側に位置している。また、封緘片の先端側表面と、上面板の表面または下面板の表面とは、同一平面上にあるとともに、封緘片の先端側左右端縁と切れ目の内端縁とは突き合わされている。したがって、封緘片の外周端縁のうち、上面板または下面板の表面から露出する部分は、封緘片の折り目近傍の一部のみとなる。
【００１０】
この結果、封緘片を剥離しようとした場合、露出している封緘片の左右端縁の折り目近傍の小さな範囲に大きな力を作用させなければならず、その際、封緘片が折り目に沿って破断したり、その端縁が損傷することから、痕跡を残すことなく封緘片を不正に開封することは困難となる。したがって、包装容器が不正に開封されたことを封緘片の破断や損傷などによって把握することができ、不正に開封された商品を誤って販売するのを確実に防止することができる。
【００１１】
本発明において、前記上面板および下面板に形成された各切れ目の対向する左右各辺が互いに内方に向けて突出されていると、切れ目に差し込んで貼着された封緘片を上面板あるいは下面板に向けて押し込むことにより、封緘片の左右端縁が切れ目の、対向する左右各辺の突出部裏面側に入り込み、それらの突出部によって覆われることになる。このため、封緘片の露出する端縁が正面板との折り目近傍のみとなることから、封緘片に対して細工できる範囲を可及的に減少させることができ、痕跡を残すことなく不正に開封することがさらに困難となる。
【００１２】
本発明は、左右一端縁に糊代が折り目を介して連設された正面板の他端縁に、左右一方の側面板、背面板、左右他方の側面板が順に折り目を介して連設される一方、左右側面板の各上端縁および各下端縁にそれぞれフラップが折り目を介して連設され、また、正面板の上端縁および下端縁にそれぞれ貼着フラップが折り目を介して連設され、背面板の上端縁および下端縁にそれぞれ上面板および下面板が折り目を介して連設された包装容器において、前記各貼着フラップに正面板との折り目を始点としてコ字状の切れ目がそれぞれ形成され、また、貼着フラップの切れ目によって区画された各封緘片に対応して上面板および下面板にそれぞれ封緘片を嵌入可能な略コ字状の切れ目が形成され、封緘片が切れ目に差し込まれるとともに、上面板および下面板の、切れ目で区画された部位に貼着されていることを特徴とするものである。
【００１３】
本発明によれば、包装容器を組み立てて薬品などを収容した後、それぞれ貼着フラップに接着剤を塗布するとともに、上面板および下面板をそれぞれ折り曲げて各貼着フラップに貼着し、上方開口部および下方開口部をそれぞれ閉鎖する。次いで、上面板および下面板にそれぞれ形成された切れ目で区画された部位に接着剤を塗布するとともに、封緘片の裏面に接着剤を塗布した後、各貼着フラップに形成された切れ目によって区画された封緘片をそれぞれ折り曲げ、その先端を切れ目に差し込んで貼着する。
【００１４】
このため、正面板に連設された各封緘片は、それぞれ切れ目に差し込まれた状態で、上面板および正面板に貼着され、正面板と上面板および正面板と下面板が封緘される。この際、封緘片の先端縁は、切れ目を通して上面板および下面板の各裏面側に位置している。また、封緘片の先端側表面と、上面板の表面または下面板の表面とは、同一平面上にあるとともに、封緘片の先端側左右端縁と切れ目の内端縁とは突き合わされている。したがって、封緘片の外周端縁のうち、上面板または下面板の表面から露出する部分は、封緘片の折り目近傍の一部のみとなる。
【００１５】
この結果、封緘片を剥離しようとした場合、露出している封緘片の左右端縁の折り目近傍の小さな範囲に大きな力を作用させなければならず、その際、封緘片が折り目に沿って破断したり、その端縁が損傷することから、痕跡を残すことなく封緘片を不正に開封することは困難となる。したがって、包装容器が不正に開封されたことを封緘片の破断や損傷などによって把握することができ、不正に開封された商品を誤って販売するのを確実に防止することができる。また、貼着フラップを利用して封緘片を形成できることから、封緘片に相当する台紙の面積を増大させることもない。
【００１６】
本発明において、前記上面板および下面板に形成された各切れ目の対向する左右各辺が互いに内方に向けて突出されていると、切れ目に差し込んで貼着された封緘片を上面板あるいは下面板に向けて押し込むことにより、封緘片の左右端縁が切れ目の、対向する左右各辺の突出部裏面側に入り込み、それらの突出部によって覆われることになる。このため、封緘片の露出する端縁が正面板との折り目近傍のみとなることから、封緘片に対して細工できる範囲を可及的に減少させることができ、痕跡を残すことなく不正に開封することがさらに困難となる。
【発明の効果】
【００１７】
以上のように本発明によれば、不正に開封された場合に開封の痕跡を確実に残すことができ、不正に開封された薬品などの販売を確実に防止することができる。
【発明を実施するための最良の形態】
【００１８】
以下、本発明の実施の形態を図面を参照して説明する。
【実施例１】
【００１９】
図１には、本発明の包装容器１の第１実施形態が示されている。
【００２０】
この包装容器１は、コートボールを図２に示す展開図にしたがって打ち抜いた後、折り目に沿って折り込むこととともに、所定部分を貼着して組み立てられる。
【００２１】
この包装容器１は、図２の展開図において、正面板２の左端縁に左側面板３が折り目ａを介して連設されるとともに、その右端縁に、右側面板４、背面板５および糊代１１が順に折り目ｂ，ｃ，ｄを介して連設される一方、背面板５の上端縁および下端縁に上面板６および下面板７がそれぞれ折り目ｅ，ｆを介して連設され、また、左側面板３および右側面板４の各上端縁および各下端縁にそれぞれ折り目ｇを介してフラップ８が連設され、さらに、正面板２の上端縁および下端縁にそれぞれ折り目ｈを介して封緘片９が連設されて構成されている。そして、上面板６の上端縁および下面板７の下端縁には、それぞれ折り目ｉを介して差し込みフラップ１０が連設されている。
【００２２】
一方、上面板６および下面板７には、差し込みフラップ１０との折り目ｉの近傍に位置して、互いに内方に向けて湾曲状に突出された左右各辺と、これらの対向する左辺および右辺の、折り目ｉから遠方側となる一端縁間を結ぶ一辺と、からなる略コ字状の切れ目ｊが形成されるとともに、対向する左右各辺の、折り目ｉに近接する側の他端縁間を結んで折り目ｋが形成されている。そして、切れ目ｊは、正面板２に連設された封緘片９に対応して形成されている。すなわち、封緘片９および切れ目ｊは、それぞれ正面板２および上面板６、下面板７の左右方向中間に中心線が位置するように形成されるとともに、切れ目ｊの、対向する左右各辺の一端縁間を結ぶ一辺の長さは、封緘片９の横寸法と同等か若干大きく設定され、また、上面板６（下面板７）と差し込みフラップ１０との折り目ｉから、切れ目ｊの、対向する左右各辺の一端縁間を結ぶ一辺までの長さは、封緘片９の縦寸法よりも小さく設定されている。
【００２３】
なお、切れ目ｊの、対向する左右各辺の湾曲した内端縁間の間隔は、封緘片９の横寸法よりも小さく設定されている。
【００２４】
また、正面板２の上端部には、封緘片９との折り目ｈに連続してコ字状の切裂用ミシン目ｍが形成されている。
【００２５】
次に、このように構成された包装容器１の組み立て手順について説明する。
【００２６】
まず、図２の展開図にしたがってコートボールを打ち抜くとともに、裏面が上面を向くように反転させた後  糊代１１を折り目ｄに沿って谷折りするとともに、その表面に接着剤を塗布する。その後、右側面板４に対して正面板２を折り目ｂに沿って谷折りし、左側面板３の裏面側側端縁部を糊代１１に貼着する。次いで、背面板５に対して右側面板４を折り目ｃに沿って谷折りするように起立させた後（図３参照）、下面板７に対して差し込みフラップ１０を折り目ｉに沿って谷折りする一方、左右の各側面板３，４に対して下方のフラップ８を折り目ｇに沿って谷折りするとともに、背面板５に対して下面板７を折り目ｆに沿って谷折りし、差し込みフラップ１０を正面板２の裏面に接するように差し込むことにより、上面が開口された包装容器１を形成する（図４参照）。
【００２７】
この後、開口された上面側から薬品を添付文書とともに挿入する一方、上面板６に対して差し込みフラップ１０を折り目ｉに沿って谷折りするとともに、左右の各側面板３，４に対して上方のフラップ８を折り目ｇに沿って谷折りし（図５（ａ）参照）、背面板５に対して上面板６を折り目ｅに沿って谷折りした後、差し込みフラップ１０を正面板２の裏面に接するように差し込む。次いで、上面板６に形成された切れ目ｊによって区画された部位および下面板７に形成された切れ目ｊによって区画された部位にそれぞれ接着剤を塗布するとともに、各封緘片９の裏面に接着剤を塗布し（図５（ｂ）参照）、正面板２に対して各封緘片９を折り目ｈに沿って谷折りし、各封緘片９の先端縁を切れ目ｊに差し込んで貼着する（図５（ｃ）参照）。
【００２８】
この際、各封緘片９を上面板６および下面板７に向けて押し込むことにより、切れ目ｊの対向する左右各辺の突出部が封緘片９の上面に位置するように、封緘片９の左右各端縁を切れ目ｊの対向する左右各辺の突出部を乗り越えさせる（図１参照）。
【００２９】
このため、封緘片９の先端縁が切れ目ｊの一辺を越えて上面板６および下面板７の裏面側に位置し、また、その先端側左右端縁が切れ目ｊの対向する左右各辺の突出部の裏面に位置しており、封緘片９の外周端縁は、折り目ｈの近傍を除いて覆われることになる。
【００３０】
このようにして薬品が収容された包装容器１は、薬局などに出荷される。そして、薬局で薬品を購入した消費者が包装容器１を開封する場合は、切裂用ミシン目ｍで区画された部位に指先を当てて押し込むことにより、切裂用ミシン目ｍに沿って切り裂けばよい。この場合、上面板６に貼着された封緘片９が正面板２から切り離されることから、封緘片９が貼着された状態の上面板６を引き上げることができ、開放された包装容器１の上面開口部を通して内部に収容された薬品などを引き出すことができる。
【００３１】
一方、薬局などの店頭に展示されている包装容器１の封緘片９を不正に開封しようとした場合を想定すると、封緘片９を開封するには、露出している封緘片９の左右端縁の折り目ｈ近傍の小さな範囲を利用しなければならず、しかも、封緘片９の先端縁に比較して大きな力を作用させる必要がある。このため、接着剤を介して貼着されている封緘片９を強制的に剥離しようとした場合、小さな範囲に大きな力を作用させなければならず、封緘片９が折り目ｈに沿って破断したり、その端縁が損傷することになる。
【００３２】
この結果、痕跡を残すことなく封緘片９を不正に開封することは困難となり、包装容器１が不正に開封されたことを封緘片９の破断や損傷などによって把握することができ、不正に開封された商品を誤って販売するのを確実に防止することができる。
【実施例２】
【００３３】
図６および図７には、本発明の包装容器１の第２実施形態が示されている。
【００３４】
この包装容器１も、先に説明した包装容器１と同様に、主に、正面板２、左側面板３、右側面板４、背面板５、上面板６、下面板７から構成され、コートボールを図６に示す展開図にしたがって打ち抜いた後、折り目に沿って折り込むこととともに、所定部分を貼着して組み立てられる。
【００３５】
このため、先に説明した包装容器１と同一の部材には同一の符号を付すものとする。  この包装容器１は、図６の展開図において、正面板２の右端縁に糊代１１が折り目ａ’を介して連設されるとともに、その左端縁に、左側面板３、背面板５、右側面板４が順に折り目ｂ’，ｃ’，ｄ’を介して連設される一方、背面板５の上端縁および下端縁に上面板６および下面板７がそれぞれ折り目ｅ，ｆを介して連設され、また、左側面板３および右側面板４の各上端縁および各下端縁にそれぞれ折り目ｇを介してフラップ８が連設され、さらに、正面板２の上端縁および下端縁にそれぞれ折り目ｈを介して糊代フラップ１２が連設されて構成されている。そして、各糊代フラップ１２には、正面板２との折り目ｈを始点として、コ字状の切れ目ｎが形成されており、切れ目ｎによって封緘片９が区画されている。
【００３６】
一方、上面板６および下面板７には、その先端縁近傍に位置して、互いに内方に向けて湾曲状に突出された左右各辺と、これらの対向する左辺および右辺の、先端縁から遠方側となる一端縁間を結ぶ一辺と、からなる略コ字状の切れ目ｊが形成されるとともに、対向する左右各辺の、先端縁に近接する側の他端縁間を結んで折り目ｋが形成されている。そして、切れ目ｊは、糊代フラップ１２に切れ目ｎによって区画された封緘片９に対応して形成されている。すなわち、封緘片９および切れ目ｊは、それぞれ糊代フラップ１２および上面板６、下面板７の左右方向中間に中心線が位置するように形成されるとともに、切れ目ｊの、対向する左右各辺の一端縁間を結ぶ一辺の長さは、封緘片９の横寸法と同等か若干大きく設定され、また、上面板６（下面板７）の先端縁から、切れ目ｊの、対向する左右各辺の一端縁間を結ぶ一辺までの長さは、封緘片９の縦寸法よりも小さく設定されている。
【００３７】
なお、切れ目ｊの、対向する左右各辺の湾曲した内端縁間の間隔は、封緘片９の横寸法よりも小さく設定されている。
【００３８】
また、正面板２の上端部には、切れ目ｎに連続してコ字状の切裂用ミシン目ｍが形成されている。
【００３９】
次に、このように構成された包装容器１の組み立て手順について説明する。
【００４０】
まず、図６の展開図にしたがってコートボールを打ち抜くとともに、裏面が上面を向くように反転させた後  糊代１１を折り目ａ’に沿って谷折りするとともに、その表面に接着剤を塗布する。その後、背面板５に対して左側面板３を折り目ｃ’に沿って谷折りし、糊代１１を右側面板４の裏面側側端縁部に貼着する。次いで、背面板５に対して右側面板４を折り目ｄ’に沿って谷折りするように起立させた後、左右の各側面板３，４に対して下方のフラップ８を折り目ｇに沿って谷折りするとともに、正面板２に対して下方の糊代フラップ１２を折り目ｈに沿って谷折りする。この際、切れ目ｎによって区画された封緘片９を除いた糊代フラップ１２がフラップ８上に重ねられる。この後、糊代フラップ１２の表面に接着剤を塗布するとともに、下面板７の裏面に接着剤を塗布し、背面板５に対して下面板７を折り目ｆに沿って谷折りすることにより、下面板７を糊代フラップ１２に貼着し、上面が開口された包装容器１を形成する。
【００４１】
次いで、開口された上面側から薬品を添付文書とともに挿入する一方、左右の各側面板３，４に対して上方のフラップ８を折り目ｇに沿って谷折りするとともに、正面板２に対して、切れ目ｎによって区画された封緘片９を除いた上方の糊代フラップ１２を折り目ｈに沿って谷折りした後、折り込まれた糊代フラップ１２の表面に接着剤を塗布するとともに、上面板６の裏面に接着剤を塗布し（図７（ａ）参照）、背面板５に対して上面板６を折り目ｅに沿って谷折りすることにより、上面板６を糊代フラップ１２に貼着し、上面が閉鎖された包装容器１を形成する。
【００４２】
次いで、上面板６に形成された切れ目ｊによって区画された部位および下面板７に形成された切れ目ｊによって区画された部位にそれぞれ接着剤を塗布するとともに、各封緘片９の裏面に接着剤を塗布し（図７（ｂ）参照）、正面板２に対して各封緘片９を折り目ｈに沿って谷折りし、各封緘片９の先端縁を切れ目ｊに差し込んで貼着する（図７（ｃ）参照）。
【００４３】
この際、各封緘片９を上面板６および下面板７に向けて押し込むことにより、切れ目ｊの対向する左右各辺の突出部が封緘片９の上面に位置するように、封緘片９の左右各端縁を切れ目ｊの対向する左右各辺の突出部を乗り越えさせる。
【００４４】
このため、封緘片９の先端縁が切れ目ｊの一辺を越えて上面板６および下面板７の裏面側に位置し、また、その先端側左右端縁が切れ目ｊの対向する左右各辺の突出部の裏面に位置しており、封緘片９の外周端縁は、折り目ｈの近傍を除いて覆われることになる。
【００４５】
このようにして薬品が収容された包装容器１は、薬局などに出荷される。そして、薬局で薬品を購入した消費者が包装容器１を開封する場合は、切裂用ミシン目ｍで区画された部位に指先を当てて押し込むことにより、切裂用ミシン目ｍに沿って切り裂けばよい。この場合、上面板６に貼着された封緘片９が正面板２から切り離されることから、封緘片９が貼着された状態の上面板６を引き上げることができ、開放された包装容器１の上面開口部を通して内部に収容された薬品などを引き出すことができる。
【００４６】
一方、薬局などの店頭に展示されている包装容器１の封緘片９を不正に開封する場合は、前述したように、露出している封緘片９の左右端縁の折り目ｈ近傍の小さな範囲に大きな力を作用させる必要があり、このため、接着剤を介して貼着されている封緘片９を強制的に剥離しようとした場合、封緘片９が折り目ｈに沿って破断したり、その端縁が損傷することになる。
【００４７】
この結果、痕跡を残すことなく封緘片９を不正に開封することは困難となり、包装容器１が不正に開封されたことを封緘片９の破断や損傷などによって把握することができ、不正に開封された商品を誤って販売するのを確実に防止することができる。
【００４８】
なお、本発明の実施形態においては、薬品を包装する包装容器について説明したが、薬品に限定するものではなく、例えば、食品の包装容器やたばこの包装容器などにも適用することができる。
【産業上の利用可能性】
【００４９】
以上説明したように、本発明の包装容器によれば、包装容器が不正に開封された薬品などを誤って販売することが確実に防止され、購入者との間にトラブルが発生するのを防止でき、有益である。
【図面の簡単な説明】
【００５０】
【図１】本発明の包装容器の一実施形態を一部省略して示す斜視図である。
【図２】図１の包装容器の展開図である。
【図３】図１の包装容器の組み立て工程を示す説明図である。
【図４】図１の包装容器の組み立て工程を示す説明図である。
【図５】図１の包装容器の組み立て工程において、封緘片による封緘要領を一部省略して示す説明図である。
【図６】本発明の包装容器の他の実施形態の展開図である。
【図７】図６の展開図に基づく包装容器の組み立て工程において、封緘片による封緘要領を一部省略して示す説明図である。
【符号の説明】
【００５１】
１  包装容器
２  正面板
３  左側面板
４  右側面板
５  背面板
６  上面板
７  下面板
８  フラップ
９  封緘片
１０  差し込みフラップ
１１  糊代
１２  糊代フラップ
ａ，ａ’，ｂ，ｂ’，ｃ，ｃ’，ｄ，ｄ’，ｅ，ｆ，ｇ，ｈ，ｉ，ｋ  折り目
ｊ，ｎ  切れ目
ｍ  切裂用ミシン目
【図１】
2005041530.tif 000003
【図２】
2005041530.tif 000004
【図３】
2005041530.tif 000005
【図４】
2005041530.tif 000006
【図５】
2005041530.tif 000007
【図６】
2005041530.tif 000008
【図７】
2005041530.tif 000009